(57)【要約】      （修正有）【課題】天板上での作業に必要な照度の光を簡単かつ精度良く照射することができる机用照明器具保持ユニットおよび同机用照明器具保持ユニットを備えた机を提供する。【解決手段】机用照明器具保持ユニット１００は、ガイド支柱を備えている。ガイド支柱には、定荷重バネに支持された状態で照明保持体１０５が摺動自在な状態で設けられている。照明保持体１０５の正面側には、変位操作子１０８が設けられている。ガイド支柱の周囲を覆うカバー体１１０における表面１１０ａには、照度表記部１１１が形成されるとともに照度指示板１１２が摺動自在な状態で設けられている。照度表記部１１１は、照明器具１０７の高さ方向の位置に応じた天板ＤＴ上での照度が表記されており、照度指示板１１２には、照度保持体１０５とともに変位して照度表記部１１１の照度を指し示すための指図１１２ａが形成されている。【選択図】図１
0003161875.tif 000002
【実用新案登録請求の範囲】
【請求項１】
机上に起立した状態で上下方向に延びて設けられるガイド支柱と、
照明器具を保持した状態で前記ガイド支柱に案内されて前記上下方向に変位可能な照明保持体と、
前記照明保持体を前記ガイド支柱に沿った前記上下方向における任意の位置で位置決め可能に懸吊する低荷重バネとを備えることを特徴とする机用照明器具保持ユニット。
【請求項２】
請求項１に記載した机用照明器具保持ユニットにおいて、
前記ガイド支柱に対する前記照明保持体の位置によって前記机上における前記照明器具の照度の程度を表示する照度表示手段を備えることを特徴とする机用照明器具保持ユニット。
【請求項３】
請求項２に記載した机用照明器具保持ユニットにおいて、
前記照度表示手段は、前記机上における前記照明器具の照度を表記した照度表記部と同照明表記部に表記された前記照度を指し示すための指し部とで構成され、
前記照度表記部は、前記ガイド支柱および前記照明保持体のうちの一方に設けられ、
前記指し部は、前記ガイド支柱および前記照明保持体のうちの前記一方とは異なる他方に設けられることを特徴とする机用照明器具保持ユニット。
【請求項４】
請求項１ないし請求項３のうちのいずれか１つに記載した机用照明器具保持ユニットにおいて、
前記照明保持体は、同照明保持体を前記ガイド支柱に対して変位させるための変位操作子を備えていることを特徴とする机用照明器具保持ユニット。
【請求項５】
請求項１ないし請求項４のうちのいずれか１つに記載した机用照明器具保持ユニットにおいて、
前記変位操作子は、前記照明器具を点灯または消灯させるための照明操作子を備えていることを特徴とする照明支持ユニット。
【請求項６】
天板と、
前記天板を支持するための脚部とを備え、
前記天板上に、請求項１ないし請求項５のうちのいずれか１つに記載した机用照明器具保持ユニットを配置したことを特徴とする机。
【考案の詳細な説明】
【技術分野】
【０００１】
本考案は、机上にて任意の高さに調整することができる机用照明保持ユニットおよび同机用照明器具保持ユニットを備えた机に関する。
【背景技術】
【０００２】
従来から、各種製品や部品の組立てを行なう組立工場においては、組立作業に際して作業机（「作業台」ともいう）が用いられている。一般に、作業机は、部品や製品を載置して作業を行うための作業スペースを形成する天板と同天板を床面から所定の高さで支持する脚部とで構成されているが、作業机の中には、天板および脚部に加えて天板上を照らすための照明器具を備えた作業机もある。例えば、下記特許文献１には、天板上において作業机の高さ方向および天板の奥行方向にそれぞれ位置調整可能な状態で照明器具を保持した構成の作業机が開示されている。
【先行技術文献】
【特許文献】
【０００３】
【特許文献１】特開２００１−３０１８７号公報
【０００４】
しかしながら、このような作業机においては、天板上に対して作業に必要な照度の光を照射することが困難であるという問題がある。すなわち、照明器具を有しない作業机においては、工場の天井に設けた照明器具や作業机の天板上に別途設けた照明スタンドなどによって天板上が照らされる。しかし、天井に設けた照明器具による照明においては、照明器具と作業机の天板と距離や位置関係によって光が大きく減衰するとともに影が生じて天板上で必要な照度が得られ難い。また、作業机の天板上に照明スタンドを設けた場合においては、照明器具が片持ち状の可動アームで支持されているため、接触により照射位置や向きがずれ易く天板上で必要な照度を安定的に得られ難いという問題があった。
【０００５】
また、上記特許文献１に示された照明器具を備えた作業机においては、天板に対する照明器具の高さ調整は照明器具の支持アームに対する取り付け位置の変更によって行なわれる。このため、照明器具を備えた作業机においては、照明器具の取り付けおよび取り外し作業が煩雑であるとともに、天板上における照度の設定が段階的となって所望する照度が得られ難い。
【０００６】
本考案は上記問題に対処するためなされたもので、その目的は、天板上に対して作業に必要な照度の光を簡単かつ精度良く照射することができる机用照明器具保持ユニットおよび同机用照明器具保持ユニットを備えた机を提供することにある。
【考案の概要】
【０００７】
上記目的を達成するため、請求項１に係る本考案の特徴は、机上に起立した状態で上下方向に延びて設けられるガイド支柱と、照明器具を保持した状態でガイド支柱に案内されて前記上下方向に変位可能な照明保持体と、照明保持体をガイド支柱に沿った前記上下方向における任意の位置で位置決め可能に懸吊する低荷重バネとを備えることにある。
【０００８】
このように構成した請求項１に係る本考案の特徴によれば、机用照明器具保持ユニットは、照明器具を保持した照明保持体が定荷重バネによって支持された状態で机上に起立したガイド支柱に沿って上下方向に案内される。これにより、机用照明器具保持ユニットの使用者は、机の天板の上面または側面の適当な位置に机用照明器具保持ユニットを取り付けることにより、天板上に対して必要な照度の明かりを確保することができる。この場合、照明器具は、使用者の任意の位置に配置されるとともに天板の上方における比較的近い位置に配置される。これにより、天板上に照射される光の減衰および影の発生を抑えることができる。また、使用者は、照明保持体をガイド支柱に沿って変位させることにより容易に照明器具の高さ方向の位置を調整できる。この場合、照明保持体は、定荷重バネによって懸吊されているため、使用者は任意の位置で照明器具を位置決めすることができる。また、照明保持体は、ガイド支柱に案内される方向にのみ変位するため、照明器具や照明保持体に何らかの物体が接触した場合であっても照明器具の位置ずれを防止することができる。これらの結果、天板上に対して作業に必要な照度の光を簡単かつ精度良く照射することができる。
【０００９】
また、請求項２に係る本考案の他の特徴は、前記机用照明器具保持ユニットにおいて、ガイド支柱に対する照明保持体の位置によって机上における照明器具の照度の程度を表示する照度表示手段を備えることにある。
【００１０】
この場合、請求項３に示すように、照度表示手段は、例えば、机上における照明器具の照度を表記した照度表記部と同照明表記部に表記された前記照度を指し示すための指し部とで構成され、照度表記部は、ガイド支柱および照明保持体のうちの一方に設けられ、指し部は、ガイド支柱および照明保持体のうちの前記一方とは異なる他方に設けられるとよい。
【００１１】
このように構成した請求項２に係る本考案の他の特徴によれば、机用照明器具保持ユニットは、ガイド支柱に対する照明保持体の位置によって机上における照明器具の照度の程度を表示する照度表示手段を備えている。これにより、使用者は、天板上の照度を容易に認識することができるとともに、天板上に照射される光の照度を必要な照度に正確かつ迅速に調整することができる。なお、照度表示手段における照度の程度とは、照明器具によって照らされる天板上の実際の照度（例えば、ルクス単位で表わされる）や、この照度を所定範囲ごとにまとめたレベル値などの明るさの度合いを表わしたものである。
【００１２】
また、請求項４に係る本考案の他の特徴は、前記机用照明器具保持ユニットにおいて、照明保持体は、同照明保持体をガイド支柱に対して変位させるための変位操作子を備えていることにある。
【００１３】
このように構成した請求項４に係る本考案の他の特徴によれば、机用照明器具保持ユニットは、照明保持体が同照明保持体をガイド支柱に対して変位させるための変位操作子を備えている。これにより、使用者は、変位操作子を操作することにより容易に照明器具の高さを調整することができる。
【００１４】
また、請求項５に係る本考案の他の特徴は、前記机用照明器具保持ユニットにおいて、変位操作子は、照明器具を点灯または消灯させるための照明操作子を備えていることにある。
【００１５】
このように構成した請求項５に係る本考案の他の特徴によれば、机用照明器具保持ユニットは、変位操作子が照明器具を点灯または消灯させるための照明操作子を備えている。これにより、使用者は、変位操作子に設けられた照明操作子を操作することにより容易に照明器具の点灯および消灯の操作を行うことができる。
【００１６】
また、本考案は、机用照明器具保持ユニットの考案として実施できるばかりでなく、同机用照明器具保持ユニットを備えた机の考案としても実施できるものである。
【００１７】
具体的には、請求項６に示すように、机は、天板と、天板を支持するための脚部とを備え、天板上に、請求項１ないし請求項５のうちのいずれか１つに記載した机用照明器具保持ユニットを配置して構成すればよい。この場合、脚部は、床面から所定の高さで天板を支持する部材であり、少なくとも１つ以上で天板を支えている。
【図面の簡単な説明】
【００１８】
【図１】（Ａ），（Ｂ）は本考案の一実施形態に係る机用照明器具保持ユニットの外観構成を概略的に示しており、（Ａ）は机用照明器具保持ユニットの正面図であり、（Ｂ）は机用照明器具保持ユニットの側面図である。
【図２】（Ａ），（Ｂ）は図１に示す机用照明器具保持ユニットにおけるカバー体を省略して机用照明器具保持ユニットの内部の構成を概略的に示しており、（Ａ）は机用照明器具保持ユニットの一部破断省略正面図であり、（Ｂ）は机用照明器具保持ユニットの一部省略側面図である。
【図３】（Ａ），（Ｂ）は図１に示す机用照明器具保持ユニットの動作時の状態を説明するための外観構成図であり、（Ａ）は机用照明器具保持ユニットの正面図であり、（Ｂ）は机用照明器具保持ユニットの側面図である。
【図４】（Ａ），（Ｂ）は図１に示す机用照明器具保持ユニットにおけるカバー体を省略して机用照明器具保持ユニットの動作時の内部の状態を説明するための外観構成図であり、（Ａ）は机用照明器具保持ユニットの一部破断省略正面図であり、（Ｂ）は机用照明器具保持ユニットの一部省略側面図である。
【考案を実施するための形態】
【００１９】
以下、本考案に係る机用照明器具保持ユニットの一実施形態について図面を参照しながら説明する。図１（Ａ），（Ｂ）は、本考案に係る机用照明器具保持ユニット１００の外観構成を概略的に示しており、（Ａ）は机用照明器具保持ユニット１００の正面図であり、（Ｂ）は机用照明器具保持ユニット１００の側面図である。また、図２（Ａ），（Ｂ）は、本考案に係る机用照明器具保持ユニット１００におけるカバー体１１０を省略して机用照明器具保持ユニット１００の内部の構成を概略的に示しており、（Ａ）は机用照明器具保持ユニット１００の一部破断省略正面図であり、（Ｂ）は机用照明器具保持ユニット１００の一部省略側面図である。
【００２０】
なお、本明細書において参照する各図は、本考案の理解を容易にするために一部の構成要素を誇張して表わすなど模式的に表している。このため、各構成要素間の寸法や比率などは異なっていることがある。本実施形態に係る机用照明器具保持ユニット１００は、各種製品や部品の組立てを行なう組立作業に用いられる作業机（「作業台」ともいう）に取り付けられて作業机の天板を照らす照明器具を保持するものである。なお、本実施形態における作業机は、天板ＤＴが４つの脚部（図示せず）によって床面から所定の高さで支持された構成を想定しているが、これに限定されることがないことは当然である。
【００２１】
（机用照明器具保持ユニット１００の構成）
机用照明器具保持ユニット１００は、３つのガイド支柱１０１ａ〜１０１ｃを備えている。ガイド支柱１０１ａ〜１０１ｃは、机用照明器具保持ユニット１００が取り付けられる机（図示せず）の天板ＤＴ上に起立した状態で上下方向に延びて配置される樹脂製のパイプ体である。これら３つのガイド支柱１０１ａ〜１０１ｃは、各上端部および各下端部が連結部材１０２ａ，１０２ｂによって互いに固定的に連結されているとともに、各下端部が机上固定具１０３に固着されている。なお、図１および図２においては、机用照明器具保持ユニット１００が取り付けられる机（図示せず）の天板ＤＴを二点鎖線で示している。
【００２２】
机上固定具１０３は、机用照明器具保持ユニット１００を机の天板ＤＴに取り付けるための鋼製の連結部材であり、横断面形状が略コ字状に形成されている。机上固定具１０３の底部には、同底部に噛合った状態で固定ネジ１０３ａが貫通して設けられている。この固定ネジ１０３ａの先端部には、板状の可動板１０３ｂが固着されている。すなわち、机上固定具１０３の内側には、固定ネジ１０３ａの回動操作によって図示上下方向に変位可能な状態で可動板１０３ｂが設けられている。これにより、机上固定具１０３は、同机上固定具１０３内に挿し入れられた天板ＤＫを可動板１０３ｂで挟むことによって天板ＤＫに固定される。
【００２３】
一方、ガイド支柱１０１ａ〜１０１ｃの上端部を互いに連結する連結部材１０２ａには、図示下向きに定荷重バネ１０４が設けられている。定荷重バネ１０４は、照明保持体１０５を支持するためのバネ体であり、帯状の薄板バネ１０４ａが図示下方に引き出し可能な状態で渦巻状に巻かれて構成されている。この定荷重バネ１０４における薄板バネ１０４ａの引き出し（巻き取り）荷重は、照明保持体１０５に加えて同照明保持体１０５と一体的に変位する部品の総重量と略等しい荷重に設定されている。
【００２４】
机用照明器具保持ユニット１００の正面側に配置されたガイド支柱１０１ａとガイド支柱１０１ｂとの間には、定荷重バネ１０４に支持された状態で照明保持体１０５が設けられている。照明保持体１０５は、照明器具１０７を保持した状態でガイド支柱１０１ａ，１０１ｂに案内されて図示上下方向に変位する樹脂製のパイプ体である。より具体的には、照明保持体１０５は、上端部側が机用照明器具保持ユニット１００の斜め前方に向って屈曲して形成されており、その先端部に照明器具１０７を着脱自在な状態で保持している。また、照明保持体１０５の下端部側は、定荷重バネ１０４から延びる薄板バネ１０４ａの先端部が連結されるとともに２つの摺動連結部材１０６ａ，１０６ｂを介してガイド支柱１０１ａ，１０１ｂに摺動自在な状態で連結されている。すなわち、照明保持体１０５は、ガイド支柱１０１ａ，１０１ｂに対して摺動自在な状態で定荷重バネ１０４によって懸吊されている。
【００２５】
摺動連結部材１０６ａ，１０６ｂは、１つの筒体の両側にそれぞれ１つずつの筒体が張り出した状態で連結されてそれぞれ構成されており、照明保持体１０５の軸線方向に沿って配置されている。これらの摺動連結部材１０６ａ，１０６ｂは、中央の筒体内に照明保持体１０５が挿入されて固着されるとともに両側の２つの筒体内にガイド支柱１０１ａ，１０１ｂが摺動自在な状態でそれぞれ挿入されている。これにより摺動連結部材１０６ａ，１０６ｂは、照明保持体１０５とガイド支柱１０１ａ，１０１ｂとを摺動自在な状態で連結している。また、照明器具１０７は、机の天板ＤＴを照らすための電気器具である。本実施形態においては、照明器具１０７は、光源が蛍光灯で構成されているが、その他の光源、例えば、電球、ＨＩＤおよびＬＥＤなどにより照明器具１０７を構成することもできる。
【００２６】
照明保持体１０５における屈曲部の下方には、連結部材１０５ａが机用照明器具保持ユニット１００の正面側に突出して設けられており、同連結部材１０５ａに変位操作子１０８が図示下方側に延びた状態で設けられている。変位操作子１０８は、照明保持体１０５を図示上下方向に変位させるための樹脂製のパイプ体であり、下端部に把持部１０８ａおよび照明操作子１０８ｂをそれぞれ備えている。把持部１０８ａは、使用者に把持されて操作されることにより、変位操作子１０８を介して照明保持体１０５を図示上下方向に変位させるための樹脂製のパイプ体である。この把持部１０８ａは、変位操作子１０８の軸線周りに回動自在な状態で変位操作子１０８の下端部に取り付けられている。なお、図１（Ａ），（Ｂ）においては、把持部１０８ａを回動した状態（収納状態）を二点鎖線で示している。
【００２７】
一方、照明操作子１０８ｂは、照明器具１０７を点灯および消灯させるための押しボタン式のスイッチである。この照明操作子１０８ｂは、変位操作子１０８および照明保持具１０５を構成する各パイプ体内を通される電気コードを介して照明器具１０７に接続されている。
【００２８】
また、ガイド支柱１０１ａ〜１０１ｃは、三角筒状のカバー体１１０によって覆われている。カバー体１１０は、３枚の樹脂製の板材を三角筒状に互いに貼り合せて構成されており、下端部が机上固定具１０３の上面に固着されている。このカバー体１１０は、机用照明器具保持ユニット１００の正面側を構成する表面１１０ａに照度表記部１１１が形成されている。照度表記部１１１は、照明器具１０５の高さ方向の位置に応じた天板ＤＴ上での照度を表記したものであり、表面１１０ａの上端部から下方に向って照度が昇順で表記されている。本実施形態においては、照度表記部１１１は、照度がルクス（Ｌｘ）単位で表記されている。
【００２９】
カバー体１１０における表面１１０ａの中央部には、上端部から下端部に沿って溝状に凹んだ溝状案内部１１０ｂが形成されており、同溝状案内部１１０ｂに照度指示板１１２が図示上下方向に沿って摺動自在な状態で嵌まり込んでいる。照度指示板１１２は、照度表記部１１１で示された照度を指し示すための三角形状の指図１１２ａが形成された樹脂製の板材である。この照度指示板１１２は、上端部が連結部材１０５ａの下面に固着されている。すなわち、照度指示板１１２は、照明保持体１０５の変位によって溝状案内部１１０ｂ内を摺動するように構成されている。なお、この照度表記部１１１に表記された照度、および同照度に対する照度指示板１１２の指図１１２ａの位置関係は、照明器具１０５の高さ方向の位置に対する天板ＤＴ上での照度を予め測定することにより取得される。図１（Ａ），（Ｂ）においては、照度指示板１１２を二点鎖線で示している。
【００３０】
（机用照明器具保持ユニット１００の作動）
次に、このように構成された机用照明器具保持ユニット１００の作動について説明する。まず、机用照明器具保持ユニット１００の使用者は、作業机などの天板ＤＴにおける任意の位置に机用照明器具保持ユニット１００を取り付ける。具体的には、使用者は、机用照明器具保持ユニット１００の机上固定具１０３の内側に天板ＤＫの縁部を挿し込んで固定ネジ１０３ａを回動操作することにより机用照明器具保持ユニット１００を天板ＤＫに固定する。
【００３１】
次に、使用者は、机用照明器具保持ユニット１００が保持する照明器具１０７の図示しない電源コードを電源（例えば、１００ｖコンセント）に接続して照明操作子１０８ｂを操作することにより照明器具１０５を点灯させる。そして、使用者は、机の天板ＤＴ上の照度を調節する。具体的には、使用者は、図３（Ａ），（Ｂ）および図４（Ａ），（Ｂ）に示すように、変位操作子１０８の把持部１０８ａを図示上方または下方に向って変位させることにより、照明保持体１０５を図示上下方向に変位させる。この場合、使用者は、収納状態にある把持部１０８ａを前方側に回転変位させて把持部１０８ａを図示上下方向に操作する。これにより、照明保持体１０５は、定荷重バネ１０４に懸吊された状態でガイド支柱１０１ａ〜１０１ｃに案内されて図示上下方向に変位する。なお、図３（Ａ），（Ｂ）および図４（Ａ），（Ｂ）は、照明保持体１０５を図示上方に変位させた場合の机用照明器具保持ユニット１００をそれぞれ示している。
【００３２】
この場合、定荷重バネ１０４は、一定の荷重、すなわち、照明保持体１０５と一体的に変位する部品（照明器具１０７、摺動連結部材１０６ａ，１０６ｂおよび変位操作子１０８）の総重量と略等しい荷重で薄板バネ１０４ａを引き出しまたは巻き取りながら照明保持体１０５を支持する。これにより、使用者は、照明保持体１０５の重量より小さな力で照明保持体１０５を変位させることができるとともに、高さ方向における所望の位置で照明保持体１０５を保持（位置決め）することができる。すなわち、使用者は、照明保持体１０５を上昇させて天板ＤＴ上での照度を低下させることができるとともに、照明保持体１０５を下降させて天板ＤＴ上での照度を上昇させることができる
【００３３】
また、この場合、照明保持体１０５の変位とともに照度指示板１１２も溝状案内部１１０ｂ内を摺動変位する。すなわち、照度表記部１１１に表記された照度に対して照度指示板１１２の指図１１２ａの位置が変化する。この場合、照度指示板１１２が指し示す照度表記部１１１の照度は、天板ＤＴ上の照度に対応している。すなわち、照度指示板１１２の指図１１２ａが本考案に係る指し部に相当する。これにより、使用者は、照明保持体１０５の変位に連動して天板ＤＴ上の照度を認識することができる。したがって、使用者は、照度表記部１１１に表記された各照度における希望する照度に照度指示板１１２の指図１１２ａが位置するように変位操作子１０８を操作して照明保持体１０５を変位させる。これにより、使用者は、天板ＤＴ上の照度を迅速かつ正確に調整することができる。
【００３４】
そして、天板ＤＴ上の照度を好みの照度となる高さ位置に照度保持体１０５を位置決めした使用者は、把持部１０８ａを側方に回転変位させて収納状態とする。これにより、天板ＤＴ上において所望する照度化で作業が行える状態となる。また、使用者は、変位操作子１０８を操作することにより、天板ＤＴ上の照度を随時変更することができる。また、使用者は、作業を終了する場合には、把持部１０８ａを前記と同様に操作することにより照明保持体１０５を所望する位置に位置決めするとともに、照明操作子１０８ｂを操作することにより照明器具１０７を消灯して作業を終了することができる。
【００３５】
上記作動説明から理解できるように、上記実施形態によれば、机用照明器具保持ユニット１００は、照明器具１０７を保持した照明保持体１０５が定荷重バネ１０４によって支持された状態で天板ＤＴ上に起立したガイド支柱１０１ａ〜１０１ｃに沿って上下方向に案内される。これにより、机用照明器具保持ユニット１００の使用者は、机の天板ＤＴの上面または側面の適当な位置に机用照明器具保持ユニット１００を取り付けることにより、天板ＤＴ上に対して必要な照度の明かりを確保することができる。この場合、照明器具１０７は、使用者の任意の位置に配置されるとともに天板ＤＴの上方における比較的近い位置に配置される。これにより、天板ＤＴ上に照射される光の減衰および影の発生を抑えることができる。また、使用者は、照明保持体１０５をガイド支柱１０１ａ〜１０１ｃに沿って変位させることにより容易に照明器具１０７の高さ方向の位置を調整できる。この場合、照明保持体１０５は、定荷重バネ１０４によって懸吊されているため、使用者は任意の位置で照明器具１０７を位置決めすることができる。また、照明保持体１０５は、ガイド支柱１０１ａ〜１０１ｃに案内される方向にのみ変位するため、照明器具１０７や照明保持体１０５に何らかの物体が接触した場合であっても照明器具１０７の位置ずれを防止することができる。これらの結果、天板ＤＴ上に対して作業に必要な照度の光を簡単かつ精度良く照射することができる。
【００３６】
さらに、本考案の実施にあたっては、上記実施形態に限定されるものではなく、本考案の目的を逸脱しない限りにおいて種々の変更が可能である。
【００３７】
例えば、上記実施形態においては、ガイド支柱１０１ａ〜１０１ｃは、３つのパイプ体で構成されている。しかし、ガイド支柱１０１ａ〜１０１ｃは、照明保持体１０５を図示上下方向に案内できる構成であれば、上記実施形態に限定されるものではない。すなわち、ガイド支柱１０１ａ〜１０１ｃは、３つ未満または４つ以上のパイプ体で構成することができる。
【００３８】
また、上記実施形態においては、ガイド支柱１０１ａ〜１０１ｃ、連結部材１０２ａ，１０２ｂ、照明保持体１０５、摺動連結部材１０６ａ，１０６ｂ、変位操作子１０８および把持部１０８ａは、樹脂製のパイプ体で構成されている。しかし、これらの各部品は、必ずしも樹脂製のパイプ体である必要はなく、他の素材、例えば、鉄材やステンレス材などの鋼材、アルミニウム材などの棒材または管材などを用いて構成することもできる。
【００３９】
また、上記実施形態においては、机用照明器具保持ユニット１００は、使用者が机の天板ＤＴ上での照度を容易に認識可能とするために、照度表記部１１１および照度指示板１１２を備えて構成されている。すなわち、照度表記部１１１および照度指示板１１２が、本考案に係る照度表示手段に相当する。しかし、照度表記部１１１および照度指示板１１２は、机の天板ＤＴ上での照度を認識する必要がない場合には省略することができる。また、照度表記部１１１および照度指示板１１２は、使用者が机の天板ＤＴ上での照度を認識できれば、上記実施形態以外の構成であってもよい。例えば、照度表記部１１１を照度指示板１１２を構成する板材に形成するとともに、照度指示板１１２の指図１１２ａをカバー体１１０の表面１１０に形成することもできる。
【００４０】
また、照度表記部１１１を構成する表記内容も、天板ＤＴ上の照度の程度を認識できる表記であれば良く、必ずしも直接的な照度表記である必要はない。すなわち、照度の間接的な表記、例えば、照度を所定範囲ごとにまとめたレベル値（例えば、「高」，「中」、「低」）などであっても良い。また、机の天板ＤＴ上での照度表示は、ガイド支柱１０１ａ〜１０１ｃに対する照明保持体１０５の相対位置に基づいて特定できるため、例えば、ガイド支柱１０１ａ〜１０１ｃに対する照明保持体１０５の相対位置を電気的に検出してデジタル値として液晶表示装置などを用いて表示するようにしてもよい。
【００４１】
また、上記実施形態においては、照明保持体１０５は、変位操作子１０８を操作することにより図示上下方向に変位させるように構成されている。しかし、使用者は、照明保持体１０５を直接把持して変位させることもできる。すなわち、机用照明器具保持ユニット１００は、変位操作子１０８を省略して構成することもできる。
【００４２】
また、上記実施形態においては、変位操作子１０８は、照明器具１０７を点灯および消灯するための照明操作子１０８ｂを備えて構成されている。しかし、照明操作子１０８ｂは、照明器具１０７を操作可能な位置に配置されていれば、必ずしも変位操作子１０８に設ける必要はない。例えば、照明操作子１０８ｂを照明器具１０７から直接下垂した状態で配置することもできる。
【００４３】
また、上記実施形態においては、机用照明器具保持ユニット１００は、机上固定具１０３によって机の天板ＤＴに着脱自在な状態で取り付けられるように構成されている。しかし、机用照明器具保持ユニット１００は、机の天板ＤＫ上に配置されていれば良く、必ずしも天板ＤＴに対して着脱可能に構成する必要はない。例えば、机用照明器具保持ユニット１００は、机を構成する脚部（図示せず）に取り付け可能に構成することもできる。また、机用照明器具保持ユニット１００は、机の一部として机と一体的に構成されるようにしてもよい。すなわち、本考案は、机用照明器具保持ユニット１００を備えた机として実施することもできる。
【符号の説明】
【００４４】
１００…机用照明器具保持ユニット、１０１ａ〜１０１ｃ…ガイド支柱、１０２ａ，１０２ｂ…連結部材、１０３…机上固定具、１０３ａ…固定ネジ、１０３ｂ…可動板、１０４…定荷重バネ、１０４ａ…薄板バネ、１０５…照明保持体、１０５ａ…連結部材、１０６ａ，１０６ｂ…摺動連結部材、１０７…照明器具、１０８…変位操作子、１０８ａ…把持部、１０８ｂ…照明操作子、１１０…カバー体、１１０ａ…表面、１１０ｂ…溝状案内部、１１１…照度表記部、１１２…照度指示板、１１２ａ…指図。
【図１】
0003161875.tif 000003
【図２】
0003161875.tif 000004
【図３】
0003161875.tif 000005
【図４】
0003161875.tif 000006
【手続補正書】
【提出日】平成22年6月1日(2010.6.1)
【手続補正１】
【補正対象書類名】図面
【補正対象項目名】全図
【補正方法】変更
【補正の内容】
【図１】
0003161875.tif 000007
【図２】
0003161875.tif 000008
【図３】
0003161875.tif 000009
【図４】
0003161875.tif 000010